(57)【要約】【課題】ドキュメント分割の表示を与えながら、マーキング挿入具の組全体を整然として維持すること。【解決手段】本発明は、識別可能な組から複数の挿入具を複数シートのドキュメントへ挿入する方法に関し、挿入具のスタックと処理されたシートが得られるように、ジョブ画定に従ってドキュメント中に挿入具を挿入するステップを含み、このスタックは剰余の挿入具の数を決定する少なくとも１つの整列された側を有し、剰余の挿入具はこのスタックの整列された側に偏ってドキュメントの終わりに挿入される。本発明はまた、本発明による方法を実施するために作られた制御器構成を含むシート処理装置に関する。【選択図】図５Ａ
2008110871.tif 000002
【特許請求の範囲】
【請求項１】
挿入具のスタックおよび処理されたシートが得られるように、ジョブ画定に従ってドキュメント中に挿入具を挿入し、前記スタックが少なくとも１つの整列された側を有するステップと、
剰余の挿入具の数を決定するステップとを含む、識別可能な組から複数の挿入具を複数シートのドキュメントへ挿入する方法であって、
剰余の挿入具が、ドキュメントの最後に前記スタックの整列された側に偏って挿入されることを特徴とする、方法。
【請求項２】
挿入具が延伸部分を有するマーキング挿入具であり、延伸部分の反対側で整列されるとき延伸部分がスタックの外へ延伸するような方法である、請求項１に記載の方法。
【請求項３】
剰余マーキング挿入具の延伸部分の反対側が、各々スタックの整列された側に対してスタックの整列された側からマーキング挿入具の延伸部分に向かって延伸する方向に正の偏りを有する、請求項２に記載の方法。
【請求項４】
挿入具がタブシートである、請求項１から３のいずれか一項に記載の方法。
【請求項５】
請求項１から４のいずれか一項に記載の方法を実施するために作られた制御器構成を含む、シート処理装置。
【発明の詳細な説明】
【技術分野】
【０００１】
本発明は、識別可能な組から複数の挿入具を複数シートのドキュメントへ挿入する方法に関し、挿入具のスタックと処理されたシートが得られるように、ジョブ画定に従ってドキュメントへ挿入具を挿入するステップを含み、上記スタックは少なくとも１つの整列された側を有し、剰余挿入具の数を決定する。
【背景技術】
【０００２】
この種の方法はＵＳ５０４４６１９に記述される。本方法はカバーとタブシートの組をドキュメントの正しい位置に挿入し、組あたりの挿入具の数が必要な挿入具の数よりも多いかどうかを決定する。そうであれば、剰余の挿入具はドキュメントが取り出されるトレイとは違う他のトレイに取り除かれる。
【特許文献１】米国特許第５０４４６１９号明細書
【特許文献２】米国特許第６２２７５３１号明細書
【発明の開示】
【発明が解決しようとする課題】
【０００３】
この知られている方法は、挿入具の組が破壊され、剰余の挿入具を取り出すために追加のトレイと付属搬送手段が必要であり、一般に、スタック上のドキュメントの開始と終了を示す明確なドキュメント分割表示が得られないという欠点がある。
【０００４】
本発明の目的は、ドキュメント分割の表示を与えながら、マーキング挿入具の組全体を整然として維持することである。
【課題を解決するための手段】
【０００５】
この目的のために、マーキング挿入具の挿入方法が提供され、剰余挿入具がこのスタックの整列された側に偏ってドキュメントの終りに挿入される。剰余をスタックの整列された側に偏ってドキュメントの終りに挿入することによって、作業者にドキュメント分割表示が提供され、ドキュメントから剰余を抜き取るか、または剰余の挿入具を一緒に含んでドキュメントを保持するか選択することができる。
【０００６】
また、ドキュメントの終りに剰余の挿入具を挿入することができ、それによって全ての挿入具は剰余の挿入具を一緒に含んでドキュメントの残りに整列される。その場合、剰余をスタックから抜き取ることは容易にスタックの整列を乱す欠点がある。
【０００７】
複数シートのドキュメントは処理されたシートまたは未処理シートを含むことができる。例えば、シートはＡ４の無地紙シートなどの紙シート、光沢媒体等、または透明オーバーヘッドシート、または他の合成シートとすることができる。
【発明を実施するための最良の形態】
【０００８】
識別可能な挿入具の組は、組として識別可能な挿入具の組である。一般に、そのような組は所定数の部材を有する。例えば、これらの部材は組が組として識別可能なように或る順序の色彩を有することができる。挿入具の識別可能な組の他の例は、タブシートの組である。そのような組は、典型的に、組ごとに多くのタブシートを有し、全て組中の前のタブシートに対して偏ったタブ部分を有する。そのような組は挿入具の組として識別可能である。また、他の巡回（ｃｙｃｌｉｃ）媒体も挿入具の識別可能な組を形成することができる。マーキング挿入具の挿入は、インラインで実施する、すなわち、シートが印刷される同じ装置中でインラインに、または異なる装置、例えば、オフラインのドキュメント仕上げ機中でオフラインに実施することができる。オフラインドキュメント仕上げ機は、複数シートドキュメントの処理されたシートを投入するための投入トレイと、マーキング挿入具の投入用トレイと、ドキュメントのスタックの出力を含むことができる。
【０００９】
挿入具の組がエラーの発生で部分的に使用され、シート処理装置が能動的なジョブを完了することができないエラーの場合、剰余の挿入具は、シート処理装置が中断されたジョブを再開始することができ、または新しい挿入具の組で次のジョブを続けることができるように、本発明による方法で処理することができ、整列されたスタックに偏って配置された剰余の挿入具は中断されたジョブの識別子として働く。
【００１０】
本発明による方法のさらに他の実施形態において、挿入具は延伸部分を有するマーキング挿入具であり、方法は、延伸部分の反対側に整列されるとき、延伸部分がスタックから延伸するようにされる。延伸部分は、マーキング挿入具がドキュメント内部の組分割の印になるので、ドキュメントの容易な取り扱いに貢献する。
【００１１】
本発明による方法のさらに他の実施形態において、剰余のマーキング挿入具の延伸部分の反対側は、スタックの整列された側に対して、スタックの整列された側からマーキング挿入具の延伸部分に向かって延伸する方向に各々正の偏りを有する。得られるドキュメント分割は組の分割から明らかに識別可能であり、作業者が容易に抜き取ることができる。剰余のマーキング挿入具の正の偏りは、剰余のマーキング挿入具の個別マーキング挿入具とは各々異なることができる。ここで、添付図面を参照して本発明を詳細に説明する。
【００１２】
図１は、ワークステーション（ＷＳ）のシステムおよびネットワーク（Ｎ）によって接続された少なくとも１つのプリンタ（ＰＲ）を示す。例えば、ワークステーションはＰＣであり、それぞれプロセッサユニット、モニター、キーボード、およびマウスまたは他の指示器具が設けられる。用語「プリンタ」は、この場合デジタル複写機を含む。デジタル複写機は、スキャナ、プリンタ、ユーザーインターフェース、およびワークステーションから送られる印刷ジョブを処理するためのネットワークに接続する接続ユニットを含む。ワークステーションから印刷された特定のデータファイルの所有を望む使用者はシステム中の特定のまたは全てのプリンタを選択することができる。
【００１３】
一例として、図２は図１に示したシステムに使用するのに適したデジタル複写機１を示す。様々な部分が分離して概要図で示される。これらの部分は、複写のためのドキュメントを物理的に取り扱うドキュメントフィーダー１１０、ドキュメントに現れる像に対応するデジタル像データを発生するスキャナユニット１１２、デジタルデータに従って印刷媒体に像の印刷を行うプリンタユニット１３０、プリンタユニット１３０へ媒体を供給するための複数トレイの媒体供給ユニット１４０、仕上げおよび出力部分１５０、ユーザーインターフェースユニット１６０、制御ユニット１７０、およびネットワーク通信ユニット１７１を含む。
【００１４】
ドキュメントフィーダー１１０には、ドキュメントシートのスタックを投入するための投入トレイ１１１、スキャナユニット１２０に沿って１枚ずつシートを搬送するための搬送機構（図示せず）、および走査後にシートが配置される出力トレイ１１２が設けられる。
【００１５】
スキャナユニット１２０は、原紙を置くことのできるガラスプレートを備えるフラットベッドスキャナ、光学像ＣＣＤセンサーアレイおよびＣＣＤセンサーアレイ上にドキュメントの像を形成するための可動ミラーとレンズ系を含む像形成ユニットを含む。走査作業中、ＣＣＤセンサーアレイは一連の電気信号を発生し、それ自体知られている方法でデジタル像データに変換される。
【００１６】
プリンタユニット１３０はそれ自体知られている電子写真処理ステージを含み、帯状の光伝導性媒体１３１がコロナユニット１３２によって帯電され、次いでＬＥＤアレイ１３３に露出することによってデジタル像データに従って選択的に放電される。このようにして媒体１３１上に形成された帯電像は現像ユニット１３４中でトナー粉で現像され、その後、トナー像は転写と定着ユニット１３５の結合ユニット中で加熱されたゴムベルト１３６上に転写され、その上でベルト１３６の熱の結果としてトナー粉は軟化し、粘着性になる。次いで、それは、通常コンベヤー１３７によって媒体供給ユニット１４０から供給される紙シートの印刷媒体上に転写および定着される。
【００１７】
媒体供給ユニット中には、異なるフォーマットおよび配列の印刷媒体（例えば、紙シート）の供給が可能である。
【００１８】
トナー像を有する印刷媒体はコンベヤー１３８によって仕上げおよび出力部分１５０へ搬送され、必要であれば、それらは集めて組にされ、次いで出力トレイ１５１に排出される。デジタル複写機１の生産能力および用途に応じて、出力部分１５０は一時に多量のドキュメントを積み重ねる高容量の積み重ねユニット（図示せず）を含むことができる。
【００１９】
ユニット１６０のユーザーインターフェースパネルには表示スクリーンとキーが設けられる。ユニット１６０は制御ユニット１７０およびネットワーク通信ユニット１７１に接続される。プリンタ１の制御ユニットが参照符号１７０で図示される。制御ユニットは、ユニット１１０、１２０、１３０、１４０、１５０、および１６０を制御するためのモジュールと、良好な像品質の印刷がプリンタユニット１３０で作成され得るようにデジタル像データを処理するための像処理モジュールとを含む。制御ユニット１７０は、本発明による方法をシステム１に動作し実行させるための分割された制御器構成を有する。
【００２０】
既に述べたように、装置はローカルネットワークＮ内と通信するためのネットワーク通信ユニット１７１も含み、ケーブル１７２として図示されている。ネットワーク通信ユニット１７１はワークステーションから印刷ジョブを受け取り、それらをプリンタユニット１３０が処理できるフォーマットに変換し、制御ユニット１７０と協働して関連像を印刷媒体上に印刷する。
【００２１】
プリンタへの印刷ジョブを送るためのプログラムは、ワークステーションＷＳ中で動作可能である。この種のプログラムは「プリンタドライバー」と呼ばれ、ネットワークＮを経由して１つ以上のプリンタに論理的に結合される。使用者が印刷ジョブを送りたいとき、使用者はプリンタドライバーを起動する。これに応答して、プリンタドライバーはワークステーションモニター上にジョブウィンドウを表示し、使用者は、印刷媒体、片面または両面印刷、およびいくつかの仕上げ選択肢の選択など、意図している印刷ジョブのための仕様を入力することができる。
【００２２】
ドキュメントは非常に多様なサイズ、形状、および仕上げとすることができる。意図した用途に応じて、ドキュメントは、例えば、タブシートなどのマーキング挿入具を含むことができる。タブシートはドキュメントの一部の位置の印をつける。ドキュメントの分割された部分は組と呼ばれる。図３はドキュメントの組３の図である。図示された組２はタブシート３で被覆された５枚の印刷媒体４を含む。このタブシート３は組２の位置のマーキングおよび閲覧を容易にするための延伸部分を有する。
【００２３】
図４は１組のタブシート５の図である。この種の組は、ドキュメント中の印刷された媒体の組をマーキングするために通常用いられる。通常、それらのマーキング挿入具の組は固定サイズで供給される。図示したタブシート５の組は、６枚のタブシート６、７、８、９、１０、１１を含む。タブシート７の延伸部分はタブシート６の延伸部分に対して偏って配置され、タブシート８の延伸部分はタブシート７の延伸部分に対して偏って配置され、このように続く。タブシートの延伸部分の偏りは個別タブシート６、７、８、９、１０、１１および印刷された媒体の関連する組の索引を容易にするために選択される。
【００２４】
タブシート６、７、８、９、１０、１１は取り扱いを容易にするため穿孔１２が予備穿孔される。当業者であれば、タブシートが全ての種類の形状と特徴で供給できることは明らかであろう。通常、タブシートは印刷された媒体の積み重ねた組に整列する少なくとも１つの側と、通常延伸部分を有する整列側の反対側に、タブシートおよび印刷された媒体の関連する組を容易に識別するための他の側を有する。
【００２５】
図５Ａは本発明による方法の実施形態によって処理された印刷ジョブの側面、図５Ｂは上面の概要図である。例示的印刷ジョブ２０は２つのドキュメント、ドキュメント２５とドキュメント２６を含む。この印刷ジョブ２０は、本発明による方法を印刷システムに実行させるように考案された制御器構成を含む印刷システム上で実行するように準備される。そのような制御器構成は、ＡＳＩＣなどの単体のハードウェアとすることができるが、いくつかの構成要素に分配され、または分離したハードウェアデバイスの構成、場合によっては部分的または実質的に全てソフトウェアから作られた構成として考案することもできる。当業者にとって、制御器構成の実際の構造が本発明の実施を可能にするために重要ではないことは明らかであろう。
【００２６】
印刷ジョブを印刷システムに送る前に、使用者はワークステーションのプリンタドライバーウィンドウ中に印刷ジョブのための要件をプログラムすることができる。このプリンタドライバー中で、使用者はマーキング挿入具の挿入選択肢を「ＯＮ」に設定することができる。ここで、使用者は入手可能な組中のマーキング挿入具の数を入力することができる。本実施例において、使用者はマーキング挿入具の組が６枚の挿入具を含むことを入力する。マーキング挿入具の位置を画定することによってドキュメント２５は組３０に分割される。この場合、４つの組３０には全て各組のマーキング挿入具に入手可能な６枚のマーキング挿入具の組の１つが提供される。また、これらの選択肢および設定は、画像式ユーザーインターフェースなどのローカルユーザーインターフェース上で入力することができる。
【００２７】
ここで、制御器は剰余のマーキング挿入具の数を求め、動作を開始する。印刷媒体４のシートは印刷システムの印刷ユニット中で印刷される。時間設定式に、マーキング挿入具は、マーキング挿入具がドキュメント２５中の各組３０の終りに正しく配置されるように、出力トレイ中に送られる。マーキング挿入具は媒体供給ユニット１４０中の別の投入トレイに複数供給することができる。出力トレイで、印刷された媒体４とマーキング挿入具６、７、８、９、１０、および１１を含むドキュメント２５は整列される。印刷された媒体の最後のシートを出力トレイに搬送した後、制御組み立て体は剰余のマーキング挿入具の出力トレイへの搬送を制御する。これらの剰余のマーキング挿入具は、これらの剰余のマーキング挿入具がドキュメントを分割する組を示すマーキング挿入具の上から認識可能なように、スタックの外に剰余のマーキング挿入具が延伸するようにしてスタックの整列側に偏って挿入される。この手順はドキュメント２６について繰り返される。
【００２８】
各識別可能な組のマーキング挿入具の数は、組を挿入する際に自動的に計数することができる。その場合、使用者はマーキング挿入具の数を手動で入力する必要はない。
【００２９】
偏りの量は制御器またはプリンタドライバー中に設定することができる。使用者が剰余のマーキング挿入具を手動で抜き取りたいならば、使用者は、剰余のマーキング挿入具の偏りを単にドキュメント分割具として使用し、剰余のマーキング挿入具を一緒に含む組全体を保持する使用者の場合よりも大きな偏りを必要とする可能性がある。
【００３０】
マーキング挿入具の組はマーキング挿入具貯蔵からドキュメント中に直接挿入することができ、または、マーキング挿入具は印刷ユニットに投入することができる。後者は、章の名前、およびドキュメント中の組を区別するための数字または着色コードなどの印刷された像をマーキング挿入具に与えることができる。
【図面の簡単な説明】
【００３１】
【図１】ワークステーションおよびプリンタを備えるネットワークシステムの例を示す図である。
【図２】本発明によって使用するためのプリンタの例を示す図である。
【図３】１組のドキュメントの図である。
【図４】１組のタブシートを示す図である。
【図５Ａ】本発明による方法の一実施形態により処理された印刷ジョブの概略側面図である。
【図５Ｂ】本発明による方法の一実施形態により処理された印刷ジョブの概略上面図である。
【符号の説明】
【００３２】
１  デジタル複写機
３、５、６、７、８  タブシート
４  印刷媒体
１６  媒体供給ユニット
２０  印刷ジョブ
２５、２６  ドキュメント
３０  組
１１０  ドキュメントフィーダー
１１１  投入トレイ
１１２、１５１  出力トレイ
１１２  スキャナ
１２０  スキャナユニット
１３０  プリンタユニット
１３１  光伝導性媒体
１３２  コロナユニット
１３３  ＬＥＤアレイ
１３４  現像ユニット
１３５  定着ユニット
１３６  ゴムベルト
１３７、１３８  コンベヤー
１４０  媒体供給ユニット
１５０  出力部分
１６０  ユーザーインターフェースユニット
１７０  制御ユニット
１７１  ネットワーク通信ユニット
１７２  ケーブル
【図１】
2008110871.tif 000003
【図２】
2008110871.tif 000004
【図３】
2008110871.tif 000005
【図４】
2008110871.tif 000006
【図５Ａ】
2008110871.tif 000007
【図５Ｂ】
2008110871.tif 000008
【外国語明細書】
2008110871.tif 000009
2008110871.tif 000010
2008110871.tif 000011
2008110871.tif 000012
2008110871.tif 000013
2008110871.tif 000014
2008110871.tif 000015
2008110871.tif 000016
2008110871.tif 000017
2008110871.tif 000018
2008110871.tif 000019
2008110871.tif 000020
2008110871.tif 000021